(57)【要約】【課題】  液晶表示装置において、駆動用ＩＣチップから表示領域までの距離を短くし、表示領域の周囲に形成される額縁領域の面積を小さくする。【解決手段】  アレイ基板１上に集積回路素子（駆動用ＩＣチップ３）が実装されるとともに、駆動用ＩＣチップ３の出力端子にアレイ基板１の表示領域Ｈに形成された配線が中間配線を介して接続されてなる液晶表示装置である。中間配線のうち第２中間配線８と第３中間配線９の一部が外部配線基板４上を経由して形成され、駆動用ＩＣチップの出力端子及び表示領域Ｈの配線と接続されている。【選択図】  図２
2008309825.tif 000002
【特許請求の範囲】
【請求項１】
アレイ基板上に集積回路素子が実装されるとともに、前記集積回路素子の出力端子に前記アレイ基板の表示領域に形成された配線が中間配線を介して接続されてなる液晶表示装置であって、
前記中間配線の一部が外部配線基板上を経由して形成され、前記集積回路素子の出力端子及び前記表示領域の配線と接続されていることを特徴とする液晶表示装置。
【請求項２】
前記集積回路素子の出力端子が少なくとも２つの端子群に分割されており、少なくとも１の端子群はアレイ基板上に形成された中間配線を介して表示領域に形成された配線と接続され、他の端子群は外部配線基板上を経由して形成された中間配線を介して表示領域に形成された配線と接続されていることを特徴とする請求項１記載の液晶表示装置。
【請求項３】
前記各端子群は、それぞれ集積回路素子の異なる辺に沿って形成されていることを特徴とする請求項２記載の液晶表示装置。
【請求項４】
前記外部配線基板上には、前記集積回路素子の入力端子に接続される入力配線が併せて形成されていることを特徴とする請求項１から３のいずれか１項記載の液晶表示装置。
【発明の詳細な説明】
【技術分野】
【０００１】
本発明は、アレイ基板を備えた液晶表示装置に関するものであり、特に、前記アレイ基板上に表示領域の配線が形成されるとともに、額縁領域に集積回路素子（駆動用ＩＣチップ）が実装されてなる液晶表示装置に関する。
【背景技術】
【０００２】
例えば液晶表示装置においては、アレイ基板と対向基板により液晶セルが構成され、アレイ基板上に形成されたスイッチング素子（画素駆動用の薄膜トランジスタ）及びこれを駆動する駆動回路によって液晶の駆動を行うことで、画像表示が行われる。この場合、１画素の液晶を駆動するのに１つの薄膜トランジスタが必要であり、したがって画像表示が行われる表示領域においては、アレイ基板上に信号線や走査線等の配線が縦横に形成されるとともに、これらが交差する位置に画素駆動用の薄膜トランジスタがマトリクス状に配列形成されている。
【０００３】
前述の構成を有する液晶表示装置においては、前記画素駆動用の薄膜トランジスタとともに、ドライバー回路や電源回路等、駆動回路を構成する集積回路素子（駆動用ＩＣチップ）を実装した外部配線基板をアレイ基板の周辺領域に設置し、その出力端子に表示領域に形成された信号線等を接続することが行われている（例えば、特許文献１等を参照）。
【０００４】
特許文献１には、例えば、表示パネル側基板と駆動回路側基板との基板接続部にて接続される各基板に設けられた複数の接続配線同士が電気的に接続されるように、表示パネル側基板と駆動回路側基板とが接続される表示装置において、表示パネル側基板及び駆動回路側基板は、それぞれの基板に形成された接続配線に対して絶縁膜を介して該接続配線と交差するように設けられた少なくとも１本の予備配線を有しており、基板接続部では、接続配線と共に、表示パネル側基板及び駆動回路側基板のそれぞれに形成された予備配線同士が接続されて、基板接続部修正用予備配線を構成していることを特徴とする表示装置が開示されている。
【０００５】
なお、前記特許文献１記載の発明は、主にＧＯＧ方式のアクティブマトリクス型液晶表示装置に関するものであるが、特許文献１にも記載されるように、液晶表示パネルとこれを駆動する駆動回路の接続方式としては、ＴＣＰ方式やＣＯＧ方式、モノリシック方式等も知られている。
【特許文献１】特開２００４−４４９２号公報
【発明の開示】
【発明が解決しようとする課題】
【０００６】
前述の各方式の中で、ＣＯＧ方式は、量産性に優れること、配線の接続が容易であり信頼性に優れること等の利点を有し、特許文献１記載の発明のような特殊な接続構造も不要であるという利点を有する。ＣＯＧ方式の液晶表示装置では、ガラス基板（アレイ基板）上に駆動用ＩＣチップを実装し、液晶表示装置を駆動する信号線を直接前記駆動用ＩＣチップの出力端子から引き出す形でガラス基板上に配線することが可能である。
【０００７】
ＣＯＧ方式においては、駆動用ＩＣチップの出力数を増やし、使用する駆動用ＩＣチップの数を減らすことがコストの削減に繋がる。例えば、出力数４００の駆動用ＩＣチップを使用した場合と、出力数８００の駆動用ＩＣチップを使用した場合とでは、後者において使用する駆動用ＩＣチップの数を半減することができ、コストを大幅に削減することが可能になる。
【０００８】
しかしながら、使用する駆動用ＩＣチップの出力数を増やした場合、駆動用ＩＣチップから表示領域までの距離を大きくする必要があり、液晶表示装置の周囲に形成される非表示領域（いわゆる額縁領域）を大きくしなければならないという新たな問題が生ずる。駆動用ＩＣチップから引き出す形で形成される配線においては、屈曲部の角度を９５°以上とする必要があり、例えば出力数４００の駆動用ＩＣチップを使用した場合、駆動用ＩＣチップから表示領域までの距離は概ね２ｍｍ程度で済む。これに対して、出力数８００の駆動用ＩＣチップを使用した場合には、前記距離を２ｍｍ程度増やす必要が生ずる。
【０００９】
前記額縁領域はできる限り小さくすることが要求されており、一方で表示の高精細化により信号線の数（すなわち前記出力数）が飛躍的に増大する状況の中、前記駆動用ＩＣチップから表示領域までの距離を削減し、額縁領域を小さくすることが大きな課題となっている。
【００１０】
本発明は、このような従来の実情に鑑みて提案されたものであり、使用する駆動用ＩＣチップの出力数を増やした場合にも、駆動用ＩＣチップから表示領域までの距離を短くすることが可能であり、表示領域の周囲に形成される額縁領域の面積を小さくすることが可能な液晶表示装置を提供することを目的とする。
【課題を解決するための手段】
【００１１】
前述の目的を達成するために、本発明の液晶表示装置は、アレイ基板上に集積回路素子が実装されるとともに、前記集積回路素子の出力端子に前記アレイ基板の表示領域に形成された配線が中間配線を介して接続されてなる液晶表示装置であって、前記中間配線の一部が外部配線基板上を経由して形成され、前記集積回路素子の出力端子及び前記表示領域の配線と接続されていることを特徴とする。
【００１２】
本発明の液晶表示装置においては、集積回路素子の出力端子から引き出される出力配線（前記中間配線）の一部を外部の配線基板（前記外部配線基板）を介して配線している。その結果、アレイ基板上に形成される配線の形成角度に関する制約が緩和され、形成間隔も拡大可能となる。したがって、集積回路素子の出力数を増やした場合にも、集積回路素子と表示領域間の距離を小さくすることができ、額縁領域の狭小化が実現される。
【発明の効果】
【００１３】
本発明によれば、アレイ基板上に余裕をもって配線を形成することができ、表示領域の周囲に形成される額縁領域の面積が最小限に抑えられた液晶表示装置を提供することが可能である。
【発明を実施するための最良の形態】
【００１４】
以下、本発明を適用した液晶表示装置の実施形態について、図面を参照して詳細に説明する。
【００１５】
液晶表示装置は、液晶表示パネルと、前記液晶表示パネルの背面側に配置され液晶表示パネルにバックライト光を照射するバックライトユニットを主たる構成要素として構成されるものである。ここで、液晶表示パネルの構造について説明すると、液晶表示パネルは、例えば図１に示すように、アレイ基板１と対向基板２を備えて構成され、これらアレイ基板１と対向基板２の間の液晶層をアレイ基板１上にマトリクス状に形成された薄膜トランジスタ（画素トランジスタ）をスイッチング素子として駆動することで、画像の表示が行われる。
【００１６】
表示領域Ｈにおいては、アレイ基板１に各画素に対応して画素電極がマトリクス状に形成されるとともに、画素電極の行方向に沿って走査線が形成され、列方向に沿って信号線が形成されている。さらに、各走査線と信号線の交差位置に前記画素トランジスタが形成されている。また、対向基板２には、前記画素電極に対向して対向電極が透明導電材料により形成されるとともに、各画素に対応してカラーフィルターが形成されている。このカラーフィルターはアレイ基板１上に形成される場合もある。
【００１７】
アレイ基板１の周辺領域（液晶表示パネルの額縁領域）には、アレイ基板１に配列形成される信号線に駆動信号を供給する信号線駆動回路や、走査線に駆動信号を供給する走査線駆動回路等の駆動回路を構成する集積回路素子（駆動用ＩＣチップ３）が実装されており、さらには駆動用ＩＣチップ３の入力端子に接続される入力配線が形成されたＦＰＣ等の外部配線基板４が設置されている。この外部配線基板４は、駆動用ＩＣチップ３の長さよりも長く形成され、全体形状としては略Ｔ字形を呈している。
【００１８】
次に、アレイ基板１上に実装される駆動用ＩＣチップ３と、その入力端子や出力端子に接続される配線について説明する。
【００１９】
図２は、アレイ基板１の駆動用ＩＣチップ３が実装される額縁領域における配線形成状態、及びアレイ基板１の１辺に沿って設置される外部配線基板４の配線形成状態を示すものである。前記外部配線基板４には、前記駆動用ＩＣチップ３に外部回路からの信号を供給する入力配線５が形成されており、これら入力配線５は、外部配線基板４の端縁部において、駆動用ＩＣチップ３の１辺（図中、下辺）に沿って形成される入力端子（図示は省略する。）と接続される入力中間配線群６と電気的に接続されている。したがって、外部回路から供給される信号は、前記入力配線５及び入力中間配線群６を介して入力端子から駆動用ＩＣチップ３へと供給される。
【００２０】
一方、駆動用ＩＣチップ３の出力端子は、やはり中間配線を介して表示領域Ｈの配線（例えば信号線）と電気的に接続されるが、本実施形態においては、これら中間配線（駆動用ＩＣチップ３の出力端子と表示領域Ｈの配線を結ぶ配線領域部分を言う。）のうちの一部が前記外部配線基板４上を介して引き回され、駆動用ＩＣチップ３の出力端子と表示領域Ｈの配線とを接続している。
【００２１】
具体的には、駆動用ＩＣチップ３の出力端子が３つの端子群から構成され、表示領域Ｈの配線と接続するための中間配線も各端子群に対応して３つの中間配線群から構成されている。駆動用ＩＣチップ３の長辺（図中、上辺）に沿って配列形成される端子群と接続される第１中間配線群７と、駆動用ＩＣチップ３の短辺（図中、左右の辺）に沿って配列される端子群と接続される第２中間配線群８及び第３中間配線群９である。
【００２２】
これら中間配線のうち、第１中間配線群７は、通常の液晶表示パネルにおける中間配線と同様、駆動用ＩＣチップ３の長辺に沿って配列形成された端子群から放射状に広がるように斜めに形成されている。
【００２３】
一方、駆動用ＩＣチップ３の側辺に配列された端子群と接続される第２中間配線群８及び第３中間配線群９は、直接表示領域Ｈの配線と接続されるのではなく、外部配線基板４上を経由して配線され、表示領域Ｈの配線と接続されている。すなわち、前記第２中間配線群８は、先ず、駆動用ＩＣチップ３の側辺から水平に引き出され、次いで直角に折り曲げられて外部配線基板４へと導かれる。ここまでが第２中間配線群８の第１配線部８ａである。その後、外部配線基板４の入力配線５が形成されていないアレイ基板１に沿う入力配線５部分の両側に位置する余白部分に形成された方向転換を司る第２配線部８ｂにおいて外部配線基板４上で所定の間隔に配列し直され、アレイ基板１上に形成された第３配線部８ｃへと接続され、さらにはこの第３配線部８ｃが表示領域Ｈの配線と接続されている。したがって、第３配線部８ｃの配線間隔が拡大され、緩い傾斜角度によって表示領域Ｈの配線と接続することが可能となるため配線密度に余裕のある製品となっている。
【００２４】
第３中間配線群９についても同様である。前記第３中間配線群９も、先ず、駆動用ＩＣチップ３の側辺から水平に引き出され、次いで直角に折り曲げられて外部配線基板４へと導かれる。ここまでが第３中間配線群９の第１配線部９ａである。その後、第２配線部９ｂにおいて外部配線基板４上で所定の間隔に配列し直され、アレイ基板１上に形成された第３配線部９ｃへと接続され、さらにはこの第３配線部９ｃが表示領域Ｈの配線と接続されている。
【００２５】
例えば、図３に示すように、駆動用ＩＣチップ３の長辺のみに沿って端子群を配列形成し、ここから中間配線Ｔを引き出す形にすると、端子数（中間配線数）の増加に伴って引き出し傾斜角度が厳しく（大きく）なるため、駆動用ＩＣチップ３と表示領域Ｈの間の距離Ｌを大きくする必要がある。これは、前記中間配線Ｔの形成角度には限度があり、図４に示すように、屈曲部における角度θは９５°以上とする必要があるにも拘らず、この端子数を増加させると、この角度の範囲内に収めることができなくなる。このため、この角度範囲を確保するために駆動用ＩＣチップ３と表示領域Ｈとの間隔（距離）Ｌを広くすることを余儀なくされている。
【００２６】
８００画素の液晶表示パネルにおいて図３の構成を採用した場合、駆動用ＩＣチップ３の出力数（前記端子数）を４００とすると、駆動用ＩＣチップ３から表示領域Ｈまでの距離は約２ｍｍとなる。ここで、製造コストの削減のためには、駆動用ＩＣチップ３の出力数を増やして、駆動用ＩＣチップ３の使用個数を減らすことが有効である。しかしながら、例えば駆動用ＩＣチップ３の出力数を２倍（８００）にすると、前記屈曲部における角度θの制約から、駆動用ＩＣチップ３から表示領域Ｈまでの距離を約２ｍｍ増やす必要が生じ、液晶表示パネルの額縁領域を２倍と大きくしなければならなくなる。
【００２７】
そこで、本実施形態においては、前述の通り、駆動用ＩＣチップ３の長辺のみならず短辺（側辺）にも端子群を配列するとともに、側辺の端子群と接続される第２中間配線群８及び第３中間配線群９を外部配線基板４を経由して配線することで、駆動用ＩＣチップ３から表示領域Ｈまでの距離を抑えるとともに、配線間隔に余裕を持たせ、配線形成を容易なものとしている。
【００２８】
例えば、駆動用ＩＣチップ３の長辺のみならず短辺（側辺）にも端子群を配列することで、長辺に沿って形成される端子数を減らすことができる。駆動用ＩＣチップ３の出力数を８００にする場合、側辺の出力数をそれぞれ２００とすれば、長辺の端子数は４００で済み、駆動用ＩＣチップ３から表示領域Ｈまでの距離を増やす必要がなくなり、額縁領域の狭小化が可能になる。
【００２９】
ただし、側辺に配列される端子群と接続される第２中間配線群８や第３中間配線群９の形成に際しては、額縁領域の狭小化による配線密度の増加が問題となり、アレイ基板１上のみで斜め配線することは難しい。本実施形態では、第２中間配線群８や第３中間配線群９を外部配線基板４上を経由させることで、この問題を解消している。第２中間配線群８や第３中間配線群９の配線パターンを、外部配線基板４上に斜め配線部分の間隔が広くなるように再配線し直して、この広くなった配線パターンを有するように外部配線基板４上を経由させることにより、配線間隔を広くし且つ角度を緩やかにして配線を形成することが可能になる。したがって、額縁領域を狭小化したままで、配線間隔を広げることができ、配線密度に余裕のある製品（液晶表示パネル）を実現することが可能である。
【００３０】
以上、本発明を適用した液晶表示装置の実施形態について説明したが、本発明が前記実施形態に限定されるものでないことは言うまでもなく、本発明の要旨を逸脱しない範囲で種々変更することが可能である。例えば、第２中間配線群８や第３中間配線群９の配線パターンの形態、外部配線基板上の配線パターンの形態、駆動用ＩＣチップ３の端子数等については、任意に設計することができる。また、駆動用ＩＣチップ３の出力数を増やさずに、従来と同様な長辺のみから出力を導出する構成の駆動用ＩＣチップ３を使用し、その両側部分に位置する傾斜角度が大きな出力部分を本発明と同様に第２中間配線群８や第３中間配線群９に接続した場合においても同様に適用が可能である。
【図面の簡単な説明】
【００３１】
【図１】本発明に係る液晶表示装置を構成する液晶表示パネルの構成例を示す概略斜視図である。
【図２】駆動用ＩＣチップと表示領域の配線を繋ぐ中間配線の形成例を示す要部概略平面図である。
【図３】比較例として中間配線を外部配線基板上を経由せずに形成した例を示す要部概略平面図である。
【図４】中間配線の屈曲角度を示す模式図である。
【符号の説明】
【００３２】
１  アレイ基板、２  対向基板、３  駆動用ＩＣチップ、４  外部配線基板、５  入力配線、６  入力中間配線、７  第１中間配線、８  第２中間配線、９  第３中間配線、８ａ，９ａ  第１配線部、８ｂ，９ｂ  第２配線部、８ｃ，９ｃ  第３配線部
【図１】
2008309825.tif 000003
【図２】
2008309825.tif 000004
【図３】
2008309825.tif 000005
【図４】
2008309825.tif 000006